(57)【要約】【課題】    日常の生活で必要なエネルギー、即ち、電気、ガス、ガソリン、食糧、情報は、総てが与えられたエネルギーでその使用量で料金が決定される。それを如何に工夫して安定した料金とするかである。社会情勢で総てのエネルギー料金が安定しない。  また、緊急時や地震等の災害で必要なとき、必要なところで、必要な量のエネルギーを移動、再生可能とするかを提供する。【解決手段】  エネルギーを自ら生成して、自ら使用して、またそのエネルギーを販売もでき、移動可能なエネルギーは、水を触媒として電力を作り出す最小化したコンデンサーと、その電力をベースに水を触媒として、水素ガスを取り出す。この時、直流電力を交流にして、小から大にするにはトランス、トランジスター、コンデンサー等の組み合わせで、その時に化石燃料としないことから、燃焼時に排出されるのは水滴である。  自らの電力でガスというエネルギーを生成してその結果、環境にやさしいことを特徴とする。【選択図】図２
2016008353.tif 000002
【特許請求の範囲】
【請求項１】
自ら電気を生成するシステム。
【請求項２】
自ら水素ガスを生成するシステム。
【請求項３】
自ら電気を再生するシステム。
【請求項４】
自ら電波を発信、受信する装置システム。
【請求項５】
緊急時災害等において持ち運び可能なエネルギー源。
【請求項６】
自ら通信所（中央局、地上波）とするシステム。
【請求項７】
自らエネルギーを生成してそのエネルギーを使用する。
【請求項８】
自らエネルギーを販売するシステム。
【請求項９】
自らエネルギー（１〜６）の管理システム。
【発明の詳細な説明】
【技術分野】
【０００１】  ここで将来のエネルギーとは、「仕事をする能力」と定義されるが、しかし、この定義はあいまいでなく、明瞭でなければならない。そして最終的には、方程式で書き表すことでなければならない。【０００２】  自動車を動かすときは、運動エネルギーで、動いている物体の質量と速度によって決まる。物体を動かすためにはエネルギーが必要で、物体の質量が大きければ大きいほど、それだけ多くのエネルギーが必要である。物体のなかの分子や原子はでたらめな方向に動いて、運動エネルギーをもっている。【０００３】  物体に含まれている分子や原子が大きな運動エネルギーをもつとき、その物体は「熱い」という。分子や原子の運動エネルギーが小さいと、その物体は「冷たい」。【０００４】  ポテンシャルエネルギーは、物体や系に含まれているエネルギーで、それらの物体や系が束縛から解放されて自由になるとき他の物体を動かすことが出来るエネルギーである。ポテンシャルエネルギーには多くの形態がある。【０００５】  また、ガソリンや他の燃料には化学的ポテンシャルエネルギーがあり、このエネルギーは酸化という化学反応（燃焼）によって解放される。化学エネルギーは、さまざまな物質がさまざまな化学反応を起こしてエネルギーがどのように生じたり消費されたりするときに現れる。化学エネルギーがどのような形態をとるのかは、反応によって決まる。【０００６】  ごく一般的な例は、石炭、石油、木材、あるいは炭素を含む物質の燃焼である。燃焼とは、炭素と酸素（一般には大気から供給される気体）が結合することで、基本的な反応はＣ＋Ｏ２−＞ＣＯ２＋Ｑである。【０００７】  ここでＱはエネルギーの記号で、光の粒子（光子、つまり電磁放射線を構成している粒子）と、燃焼の結果生じた分子の高速運動（運動エネルギー）を含む。言い換えれば、炭素は酸素と化合して二酸化炭素とエネルギーを生じる。【０００８】  燃焼によって生じた分子の速度は大きいが、その速度は不揃いで熱エネルギーと呼ばれる。木材を燃やす暖炉では、高速で運動する燃焼生成物の分子が、周囲の空気のような他の分子と衝突して、それらの分子に運動エネルギーを与える。【０００９】  一般に電気には静電気と動電気がある。私たちが日常取り扱う電気は動電気である。
そのうちでも電荷の流れの方向が時間とともに変化する交流が多い。【００１０】  電気エネルギーは別の形態である。中でも一番簡単な形態は、導線やある種の液体、あるいは真空管や粒子加速器の内部の自由空間を通る電子の流れ（電流）の運動エネルギーである。もし導線に大きな電気抵抗があると、電子は導線中の原子と衝突してエネルギーを失い、導線の原子を動かす。導線は過熱される。この現象は電気抵抗と呼ばれ、電気エネルギーの損失になる。【００１１】  ここで注意しなければならないのは、電子がｅ−＞ｅ’＋γという過程によって、光の粒子である光子を「放射」する、つまり放出することである。放出される光子は、γはエネルギーの一部を持ち去るから、光子を放出した後の電子はｅ’は、放出する前の電子ｅよりもエネルギーが少ない。この過程はγ＋ｅ−＞ｅ’のように逆にも進む。【００１２】  この場合には、最初の電子ｅは光子を吸収して、最後の電子ｅ’はエネルギーを受け取る。このような過程は自然界における基本的な過程で、電磁現象を規定している。電磁現象が電子と光子の基本的な対称性から成り立っているのである。
【背景技術】
【００１３】  エネルギー保存の原理が正確で絶対的なものだという事を、物理学者や化学者や生物学者が理解するまでには、長い時間が掛った。この原理はあらゆるものを支配している。【００１４】  生物といえども、エネルギー保存によって支配されている。生物だけが保持する特別な形態のエネルギーというものは存在しない。あらゆるエネルギーは宇宙のどこででも同じ単位で測定できる。【００１５】  すべての形態のエネルギーを詳細に記録し、その行方を追跡することが出来るなら、いかなる過程においてもエネルギーが常に保存されていることが分かるはずである。【００１６】  物理法則が時間によって変わるなら、物理学の最も重要な法則の一つであるエネルギー保存則は成り立たないのである。自然の力がある時刻と別の時刻で異なるとすると、ある物理的過程に投入したエネルギー量と、ある時間の経過後に同じ過程に投入したエネルギー量とが違うということになる。物理法則は時間の経過によって（宇宙の年齢に等しい時間のスケールにわたって）変化しない。このことはネーターの法則である。
【課題を解決するための手段】
【００１７】  われわれ大多数の人は、生きていくのに必要な１００ワットよりはるかに多くのエネルギーを毎日の生活で消費している。平均すると、一般  家庭では、約３０００ワット（つまり毎秒３０００ジュールのエネルギー）を絶えず消費している。
【００１８】  これには電燈、冷蔵庫、エアコン、テレビ、など含まれるが、さらに自動車、トラック、航空機、交通機関、工場、送電喪失、オフィイスビルの証明、等々（石油や石炭の商業的供給ラインの確保）含めると先進国１人当たり１００００ワットを消費する。
【００１８】  先進国１人当たりのエネルギー消費量は世界の平均の約５倍である。技術を改良して、われわれの行動を変えれば、これはかなり引き下げることが可能だろう。
【００１９】  比較のために、晴れた日に太陽が生み出すエネルギーは、地表１メートルあたり平均して１００ワットである。したがって先進国の各家庭で現在必要としているエネルギーの全部を太陽から得るためには、効率を１０パーセントとすると、平均して３００平方メートルの太陽熱収集器が必要になる。
【００２０】  このような太陽光熱収集器の効率は今のところ１０％より小さく、高価である、太陽光から受け取る以上のエネルギーを消費せず、また有害な副産物を作らずに、エネルギー平衡状態で生活することが出来れば、われわれのエネルギー問題は解決されると考えられる。
【００２１】  しかし太陽光エネルギーは、われわれの社会では毎日１人当たり大量のエネルギーを消費している社会では、実用的でない。
【００２２】  注目に値する新技術は、いわゆるペブルベッド型原子炉であるが、この原子炉は核分裂ウランを消費する。科学的に不活性になっているが、この葉電システムはヘリウムガスを加熱して、それをタービン発電機へ送って電気エネルギーを生産する。しかし、燃料のウランは利用されてから取り出すが、核廃棄物施設に保管しなければならない。
【００２３】  最後に、核融合はどうだろうか？このエネルギーは、二つの軽い原子核が結合してより重い原子核が作られ、その時エネルギーが放出される。典型的な過程では、二つの重水素（重水素の原子核は陽子１個と中性子１個から成り、したがって水素の同位体である）が結合してヘリウムができる。実際、われわれのエネルギー源のすべては、本質的に核融合に由来する。
【００２４】  核融合から事実上無限のエネルギーをつくり出すという以前からの約束はまだ果たされていない。人類のエネルギー需要に対するこの潜在的な究極の解決はまだなされていない。実現可能性をはっきりと示すには長期的な研究課題でもある。
【００２５】  問題の大部分は、われわれのエネルギー消費量が多すぎることにある。したがって、現代的な技術やよりよいネルギー政策によって、われわれの社会におけるエネルギー消費量を引き下げることが、結局は懸命な考えかもしれない。
【００２６】  ガソリンを大食いする自動車、貧弱なエネルギー保存技術、大量公共輸送システムの不十分さ又は完全に欠如、エネルギーについて気にもとめない行動、政府の良識あるエネルギー政策の不在、こういったことをそのままにしておけば、現在のエネルギー消費率が安易に続いていく。
【００２７】  政策や公害や地球規模の温暖化にもかかわらず、われわれが行動を変えようとしなければ、最後にはエネルギー保存則がわれわれの行動を変えるだろう。
【００２８】  エネルギーについて語ることはたくさんある。ここではその一部に過ぎない。「エネルギー」のようなものがなぜ存在するのか、物理法則の対称性とエネルギーとの深い関係とは何か、エネルギーと時間の間になぜ関係があるのか
【００２９】。」
全段に述べた解決策は、水溶液にしたとき電流を通す物質を電解質といい、この電解質は水溶液中では「＋」と「−」のイオンになろうとする作用が強い。この作用を電離または電離作用という。電流が流れたのはこのためである。
【００３０】  原子は電気的に中性であるが、電子をほかにやり取りすると電気的つり合いが破れて帯電状態になる。これがイオンである。原子が電子を１個失うと、陽電気が１単位余分になるから１価の陽イオンとなる。２個失えば、その原子は２価の陽イオンとなる。同じように」して外から原子が電子を１個もらえば１価の陰イオンとなる。
【００３１】  金属には、イオンになろうとする性質があり、これをイオン化傾向という。イオン化傾向の大きい金属を、それより小さい金属のイオンの溶液中に浸すと、大きいほうの金属がイオンになり、溶液中にあったイオンは金属となって析出する。
【００３２】  水を電気分解すると陰極に水素、陽極に酸素を発生する。純水の水ではその電気抵抗が大きいから、水に苛性ソーダを１５％〜２０％の濃度で溶かして電気を通じやすくした水溶液を使用する。
【発明の概要】
【発明が解決しようとする課題】
【００３３】  全段の００２９〜００３２までに電気を作り、その電気から水素を生成して、各家庭で電気・ガスとして使用する。その使用するエネルギーの費用は勿論、「ゼロ」である。その余ったエネルギーを販売して、将来の年金、保険の一部とする。【００３４】  これらを管理するために、発電装置・ガス発生装置にＧＰＳ、ＰＯＳ、等が組み込まれるものである。【００３５】  組み込まれた装置は、クラウド（情報技術）としてのシステムである。利用者への整備、点検等の安全管理を徹底するためのものである。また、販売したエネルギーの管理は互いの情報を互いに管理しあう。【００３６】  従来の料金算定は、基本料金＋電力量料金＋燃料費調整額＋再エネ発電賦課金＋消費税である。そこに、２０１４年６月から「地球温暖化対策費」等となり、複雑な仕様である。【００３７】  これらを、変動しない固定された使用した分は「ゼロ」とし、売電した料金を将来の蓄えを目的にする。従来の化石燃料を使用してエネルギーを得ようとすると化学反応によるＣＯ２の発生である。【００３８】  将来予測される少子化高年齢化社会で人工減によって、人口構成に変化が起こり、地域は衰退が考えられる。そこで、地域の公民館の一部を利用して、各家庭から余力になる電力を送り、コンデンサー、変圧器等で地域のエネルギーと使用して活性化を図る。
【解決の手段】
【００４０】  各自、各家庭で「水」の性質から水溶液にしたとき電流を通す物質を電解質といい、この電解質は水溶液では「＋」と「−」のイオンになろうとする作用が強い。このことから電力を生成するのである。この作用を電離又は電離作用という。
すでに特願［２０１３−２２１５８４］済である。
【００４１】  溶液中では「＋」イオンは陰極に、「−」イオンは陽極というようにイオンの移動が、酸化、還元などが起こる。電流が通過することにより電極上に析出または放電する物資の量は、電解質溶液を通過した総電気量に比例する。この時の電気は直流である。
【００４２】  （００４０）で生成した電気によって、「水」の水溶液中に二つの電極に物質をそれぞれ繋ぐと電離したイオンのＨ＋は陰極で水素（Ｈ２）ガスになり、陽極では酸素（Ｏ）ガスとなる。この装置をサーバーといい、サーバーから発生するＨＨＯガスは次の工程のサーバータンクに収集して、次の容器（チャンバー）に集められたガス（水素ガス）を燃料として使う。
【００４３】  通常は、使用されるエネルギーは自動車に燃料として（ガソリンの代替え）、家庭ではガス（都市ガスの代替え）として使用する。すでに特願［２０１３−４１１９５］
【００４４】  少子高齢化社会での地域の縮小または衰退を防ぐ、自ら生成するエネルギー（電気、ガス）で地域の活性化を促進するシステムである。
【００４５】  このシステムには、水素ガス発生時には、当初は直流電流である回路から交流の回路を設け、ＨＨＯチャージ回路通り、元のバッテリ（蓄電池）に再充電されるのである。
【発明の効果】
【００４６】  各家庭や自動車に埋め込まれたＧＰＳ、ＰＯＳシステムは、システム始動時は直流である６〜１２電圧であるが水素ガス発生時には、コンデンサー（蓄電器）やトランジスター等の電子回路から成るものである。すなわち増幅、発振、変復調、整流、パルス回路などを含むものである。
【００４７】  緊急時や災害時に必要なとき、必要なエネルギーを作りだし、緊急時の連絡用と通常はＰＣを利用して互いに安心、安全のためにも必要で、備品として備えるものとする。
【００４８】  現在使用されているエネルギーの電気料金、ガス料金、ガソリン総てが海外からの輸入に頼っている為にその時の為替レートに依存して料金が一定でない。また、原子力発電の事故によって地域やまわりの環境の保全には今後４０年という時間が必要となろう。
【００４９】  将来に考えられる少子高齢化社会が考えられて、地域の経済に、地域の崩壊とまでいれる社会を維持するには、大きなエネルギーでなく、小さいエネルギーを自ら生成して自ら使用して、余分なエネルギーを地域社会で集めてそのエネルルギーを販売して、その蓄えを将来のための貯蓄にする。
【図面の簡単な説明】
【００５０】
【図１】  自家電気後の交流変換システム図である。
【図２】  水素ガス装置から自家電気を生成システム図である。
【図３】  交流の周波数変換装置図である。
【図４】  地域の情報相互システム図である。
【発明を実施するための形態】
【００５１】  以下、本発明を実施するための形態について説明する。
図１で生成した電力は［特願２０１３−２２１５８４］５〜１２ボルトの直流電力で水素発発生装置から水素ガスを生成しながら（２個のトランジスター  ＺＮ−３０５５）、（２個のレジスター  ２２０−５ワット）、（１個のトランスフォマー  １２＋０＋１２）を同時にプリント基板内にＧＰＳ，ＰＯＳをインサートしておく。
図２で自動車の燃料として使用する時、サーバータンクから水素ガスを直接気化器に連結してエンジンの燃料とする。と同時に電気回路から元の電力を充電するシステム図である。
図３は各家庭でこのシステムで水素ガスから交流電気を生成して使用して余分な交流電力を地域に販売するのか、水素ガスを販売するのかは各自が電力量や水素ガス量を考なければならない。▲１▼  Ｒ＝Ｖ電圧計／Ａ電流計  ▲２▼  変流器で一次電流Ｉ１、二次電流Ｉ２，一次巻線の巻数ｎ１，二次巻線の巻数ｎ２であればＩ１、Ｉ２、ｎ１、ｎ２の間には
Ｉ１／Ｉ２＝ｎ２／ｎ１            Ｉ２＝（ｎ１／ｎ２）Ｉ１
▲３▼  一次巻線ｎ１、二次巻線ｎ２、一次電圧Ｅ１、二次電圧Ｅ２、Ｅ２＝（ｎ２／ｎ１）Ｅ１
ｎ２／ｎ１により一次側の高電圧を下げＥ２の測れる電圧計で測定できる。普通、二次電圧をＥ２は１１０Ｖにとることになっており、１１０Ｖ用の電圧計で高圧を測ることができる。
一方、図４は、各家庭では自ら生成した電気でコンデンサー、トランジスター、トランスを備え、周波数変調（ＦＭ放送用＝地表波）器で地域の情報発信基地として地域災害、防災の役目をもつシステムである。
特に注目されることは、自動車の走行時にしても、水素ガスを生成する時も従来の化石燃料と違い燃焼時に排出されるのはＣＯ２でなく「水滴」である。
将来の環境にやさしい、皆で（Ｍ）、一緒に（Ｉ）、未来を考える（Ｍ）＝ＭＩＭシステムである。
【図１】
2016008353.tif 000003
【図２】
2016008353.tif 000004
【図３】
2016008353.tif 000005
【図４】
2016008353.tif 000006